(57)【要約】      （修正有）【課題】電線の振動により疲労破壊することのない端子付電線の圧着端子を提供する。【解決手段】圧着端子１０は、固定部１４と電線圧着部１６とを有する圧着端子本体１２と、固定部１４と同型の重畳部と電線圧着部１６に挿入される挿入部とを有する金属体２０とから成り、電線圧着部１６が圧着スリーブ３０の一端に挿入され、電線圧着部１６に挿入部が挿入されて重畳部が固定部１４と重畳し、被覆電線４０の一端が圧着スリーブ３０の他端から電線圧着部１６内に挿入され、圧着スリーブ３０が圧着される。【選択図】図１
0003165788.tif 000002
【実用新案登録請求の範囲】
【請求項１】
圧着端子と円筒状の圧着スリーブと両端の被覆層が剥離された被覆電線とから構成される端子付電線の前記圧着端子であって、
前記圧着端子は、取付け穴を有する扁平な固定部と円筒状の電線圧着部とを有する圧着端子本体と、前記固定部と同型の重畳部と前記電線圧着部に挿入される挿入部とを有する金属体とから成り、
前記圧着端子本体の前記電線圧着部が前記圧着スリーブの一端に挿入され、前記電線圧着部に前記金属体の前記挿入部が挿入されて前記金属体の前記重畳部が前記圧着端子本体の前記固定部と重畳し、前記被覆層が剥離された被覆電線の一端が前記圧着スリーブの他端から前記電線圧着部内に挿入され、前記圧着スリーブが圧着されることにより互いに圧着接続処理され、前記被覆層が剥離された被覆電線の他端も同様の前記圧着接続処理がなされて前記端子付電線が構成されることを特徴とする圧着端子。
【考案の詳細な説明】
【技術分野】
【０００１】
本考案は、送配変電の設備などに用いられる端子付電線の圧着端子に係り、より詳しくは、端子部位からの破断を防止した圧着端子に関する。
【背景技術】
【０００２】
図６は、特許文献１における端子付電線の構成図である。図６において、端子付電線２００は、外部接続用の固定部１４と電線圧着部１６とを有する圧着端子本体１２、円筒状のスリーブ３０、被覆層を有する電線４０とを備えている。
【０００３】
電線４０は、その端部の被覆層が剥離されて導体が露出された導体部分４２を有し、それに続いた被覆層は、剥離されない被覆部分４４となっている。円筒状の圧着スリーブ３０には、一方の側から圧着スリーブ３０と同様の形状を成す圧着端子本体１２の電線圧着部１６が挿入され、他方の側から電線４０が挿入される。電線４０の導体部分４２は、挿入された電線圧着部１６に所定の長さだけ挿入され、同時に、その被覆部分４４は、所定の長さだけ圧着スリーブ３０内に挿入される。端子付電線２００は、電線４０の両端に上記の如く取付けられた圧着スリーブ３０と、挿入された電線圧着部１６と電線４０とが、互いに圧着接続されることにより構成される。
【０００４】
ところで、この端子付電線２００が送配変電の設備などに用いられた場合、風雪等により電線４０に振動が生じると、圧着端子本体１２に曲げモーメントが加わり、固定部１４と電線圧着部１６との境界に最大応力が発生する。振動と共にこの最大応力が繰り返し境界部分に加わることにより、境界部分は疲労破壊を生じ破断するという障害が発生する。
【０００５】
特許文献２には、一端に取付け穴を有する扁平な端子部と、端子部に続いてオープンバレル部を有するリップ部縁部相互を予め断面略円形に形成してオーバーラップ円筒部を形成すると共に、オーバーラップ円筒部の圧着穴に絶縁被覆アルミより線のアルミ心線先端部を挿入して圧着すると共に、圧着部全体をホットメルトモールディングする旨の記載がある。特許文献２の引用発明においても、端子部とリップ部との境界部分が疲労破壊を生じ破断するという障害が発生する。
【先行技術文献】
【特許文献】
【０００６】
【特許文献１】特願２００８−２３２２６９号
【特許文献２】特開２００６−２８６３８５号公報
【考案の概要】
【考案が解決しようとする課題】
【０００７】
本考案は、このような問題を解決するためになされたものであり、その目的は、電線の振動により疲労破壊することのない端子付電線の圧着端子を提供する。
【課題を解決するための手段】
【０００８】
本考案の圧着端子は、圧着端子と円筒状の圧着スリーブと両端の被覆層が剥離された被覆電線とから構成される端子付電線の圧着端子であって、圧着端子は、取付け穴を有する扁平な固定部と円筒状の電線圧着部とを有する圧着端子本体と、固定部と同型の重畳部と電線圧着部に挿入される挿入部とを有する金属体とから成り、圧着端子本体の電線圧着部が圧着スリーブの一端に挿入され、電線圧着部に金属体の挿入部が挿入されて金属体の重畳部が圧着端子本体の固定部と重畳し、被覆層が剥離された被覆電線の一端が圧着スリーブの他端から電線圧着部内に挿入され、圧着スリーブが圧着されることにより互いに圧着接続処理され、被覆層が剥離された被覆電線の他端も同様の圧着接続処理がなされて端子付電線が構成されることを特徴とする。
【考案の効果】
【０００９】
本考案によれば、振動により疲労破壊することのない圧着端子、及び、これを用いた端子付電線を提供することができる。
【図面の簡単な説明】
【００１０】
【図１】本考案の圧着端子を用いた第１の実施例の端子付電線の構成要素を示す構成要素図考案。
【図２】本考案による金属体の構造を示す構造図。
【図３】本考案の圧着端子を用いた第１の実施例の端子付電線の組立完了図。
【図４】本考案の圧着端子を用いた第２の実施例の端子付電線の構成要素を示す構成要素図。
【図５】本考案の圧着端子を用いた第２の実施例の端子付電線の組立完了図。
【図６】従来の圧着端子を用いた端子付電線の構成を示す構成図。
【考案を実施するための形態】
【実施例】
【００１１】
図１は、本考案の圧着端子を用いた第１の実施例の端子付電線の構成要素を示す構成要素図である。図１において、端子付電線１００−１は、圧着端子１０と円筒状の圧着スリーブ３０と両端の被覆層が剥離された被覆電線４０とから構成される。圧着端子１０は、取付け穴を有する扁平な固定部１４と円筒状の電線圧着部１６とを有する圧着端子本体１２と、固定部１４と同型の図２において説明する重畳部２２と電線圧着部１６に挿入される挿入部２４とを有する金属体２０とから成る。
【００１２】
組立において、圧着端子本体１２の電線圧着部１６が、圧着スリーブ３０の一端に挿入され、電線圧着部１６に金属体２０の挿入部２４が挿入されて金属体２０の重畳部２２が圧着端子本体１２の固定部１４と重畳する。被覆層４４が剥離された被覆電線４０の一端の導体部分４２が圧着スリーブ３０の他端から圧着端子本体１２の電線圧着部１６に挿入される。圧着スリーブ３０が圧着されることにより圧着接続処理され、互いに電気的に圧着接続される。また、被覆層４４が剥離された被覆電線４０の他端も同様の圧着接続処理がなされて端子付電線１００−１が構成される。
【００１３】
このように端子付電線１００−１の両端の圧着端子１０は、圧着端子本体１２と金属体２０とから構成されるため、風雪等による電線４０の振動による最大応力が固定部１４と電線圧着部１６との境界に加わったとしても、それに重畳した金属体２０により補強されるため、境界部分に疲労破壊を生じ破断するという問題を解消することが可能となる。
【００１４】
図２は、本考案による金属体の構造を示す構造図である。図２において、金属体２０は、重畳部２２と挿入部２４とを有している。重畳部２２は、圧着端子本体１２の固定部１４と同形状を有し、挿入部２４は被覆電線４０の導体部分４２が挿入された後、圧着においてより圧着効果を向上させるため、導体部分４２を包み込むように湾曲している。図３は、本考案による第１の実施例の端子付電線の組立完了図である。図３において、円筒状の圧着スリーブ３０は、互いに電気的に接続されるに十分なだけ、且つ、被覆電線４０の被覆部分４４を把持するに十分なだけ圧縮変形している。
【００１５】
図４は、本考案の圧着端子を用いた第２の実施例の端子付電線の構成要素を示す構成要素図である。図４において、端子付電線１００−２は、圧着スリーブ３５がストッパー３７を具備するところが図１と異なり、他は同様であるため、重複する説明は省略する。圧着スリーブ３５のストッパー３７は、圧着端子本体１２の電線圧着部１６が挿入されるとき、電線圧着部１６の先端が接触した位置で挿入を停止させ、被覆電線４０が挿入される場合は、被覆層４４の先端が接触した位置で挿入を停止させるため、挿入操作時の位置決めがより簡単に行える効果がある。圧着端子１０の疲労破壊強度は、図１の場合と同等であるため、破断するという問題を解消することが可能となる。
【００１６】
図５は、本考案による第２の実施例の端子付電線の組立完了図である。図５において、図３の場合と同様に、円筒状の圧着スリーブ３０は、互いに電気的に接続されるに十分なだけ、且つ、被覆電線４０の被覆部分４４を把持するに十分なだけ圧縮変形している。
【００１７】
このように、振動により疲労破壊することのない圧着端子、及び、これを用いた端子付電線を提供することができる。
【符号の説明】
【００１８】
１０  圧着端子
１２  圧着端子本体
１４  固定部
１６  電線圧着部
２０  金属体
２２  重畳部
２４  挿入部
３０、３５  圧着スリーブ
３７  ストッパー
４０  被覆電線
４２  導体部分
４４  被覆部分
１００−１  第１の実施例の端子付電線
１００−２  第２の実施例の端子付電線
２００  従来の端子付電線
【図１】
0003165788.tif 000003
【図２】
0003165788.tif 000004
【図３】
0003165788.tif 000005
【図４】
0003165788.tif 000006
【図５】
0003165788.tif 000007
【図６】
0003165788.tif 000008